(57)【要約】      （修正有）【課題】重さのバランスが良いイオン歯ブラシを提供する。【解決手段】イオン歯ブラシ１００は、使用者が把持し、長手方向を有する把持部１０と、把持部から長手方向に延出している導電性の支軸部２０と、支軸部によって支持され、ブラシ毛３１が設けられたヘッド部３０と、を含み、把持部には、長手方向に並んで直列につながれる２つのＲ０３形の電池１４０が収容され、支軸部は、電池の一方の電極１４２と電気的に接続され、把持部は、電池の他方の電極１４４と電気的に接続された第１導電部および第２導電部１３２を有し、第１導電部は、把持部の第１外表面を構成し、第２導電部は、把持部の第１外表面とは反対側の第２外表面１６を構成し、把持部の長手方向と直交する断面積Ｓは、５００ｍｍ２以下であり、把持部の長手方向における中心Ｃの両側に、電池が位置する。【選択図】図１
0003216414.tif 000002
【実用新案登録請求の範囲】
【請求項１】
使用者が把持し、長手方向を有する把持部と、
前記把持部から前記長手方向に延出している導電性の支軸部と、
前記支軸部によって支持され、ブラシ毛が設けられたヘッド部と、
を含み、
前記把持部には、前記長手方向に並んで直列につながれる２つのＲ０３形の電池が収容され、
前記支軸部は、前記電池の一方の電極と電気的に接続され、
前記把持部は、前記電池の他方の電極と電気的に接続された第１導電部および第２導電部を有し、
前記第１導電部は、前記把持部の第１外表面を構成し、
前記第２導電部は、前記把持部の前記第１外表面とは反対側の第２外表面を構成し、
前記把持部の前記長手方向と直交する断面積は、５００ｍｍ２以下であり、
前記把持部の前記長手方向における中心の両側に、前記電池が位置する、イオン歯ブラシ。
【請求項２】
請求項１において、
前記第１導電部の前記長手方向の大きさと、前記第２導電部の前記長手方向の大きさとは、同じであり、
前記第１導電部は、前記第２導電部に対して、前記長手方向にずれて設けられている、イオン歯ブラシ。
【請求項３】
請求項１または２において、
前記断面積は、２００ｍｍ２以上３００ｍｍ２以下である、イオン歯ブラシ。
【請求項４】
請求項１ないし３のいずれか１項において、
前記把持部には、前記ヘッド部を振動させるモーターが収容されている、イオン歯ブラシ。
【請求項５】
請求項４において、
前記モーターおよび前記電池は、前記長手方向に並んでいる、イオン歯ブラシ。
【請求項６】
請求項１ないし５のいずれか１項において、
前記把持部は、前記支軸部と係合する係合部を有する、イオン歯ブラシ。
【請求項７】
請求項１ないし６のいずれか１項において、
前記把持部は、
第１貫通孔が設けられた基部と、
前記基部に固定され、第２貫通孔が設けられた蓋部と、
を有し、
前記第１導電部は、前記第１貫通孔を塞いで前記基部に設けられ、
前記第２導電部は、前記第２貫通孔を塞いで前記蓋部に設けられ、
前記他方の電極には、導電部材が接しており、
前記導電部材は、
前記前記第１貫通孔を通って、前記第１導電部を付勢する第１付勢部と、
前記前記第２貫通孔を通って、前記第２導電部を付勢する第２付勢部と、
を有する、イオン歯ブラシ。
【考案の詳細な説明】
【技術分野】
【０００１】
本考案は、イオン歯ブラシに関する。
【背景技術】
【０００２】
従来から、歯ブラシの把持部に電池を内蔵し、この把持部を把持する使用者の手を介して歯とブラシ毛との間に電流を流し、ブラッシング効果を向上させたイオン歯ブラシや電子歯ブラシ（以下、これらを総称して「イオン歯ブラシ」という）が提案されている（例えば特許文献１参照）。
【先行技術文献】
【特許文献】
【０００３】
【特許文献１】国際公開第２００９／１２８４７７号
【考案の概要】
【考案が解決しようとする課題】
【０００４】
しかしながら、特許文献１に記載の歯ブラシでは、ハンドル本体の端部側に電池が収容されているため、歯ブラシの端部側に重心が偏っていて重さのバランスが重い。そのため、歯ブラシを、例えばペングリップで把持した場合に把持し難い。
【０００５】
本考案のいくつかの態様に係る目的の１つは、重さのバランスが良いイオン歯ブラシを提供することにある。
【課題を解決するための手段】
【０００６】
本考案に係るイオン歯ブラシの一態様は、
使用者が把持し、長手方向を有する把持部と、
前記把持部から前記長手方向に延出している導電性の支軸部と、
前記支軸部によって支持され、ブラシ毛が設けられたヘッド部と、
を含み、
前記把持部には、前記長手方向に並んで直列につながれる２つのＲ０３形の電池が収容され、
前記支軸部は、前記電池の一方の電極と電気的に接続され、
前記把持部は、前記電池の他方の電極と電気的に接続された第１導電部および第２導電部を有し、
前記第１導電部は、前記把持部の第１外表面を構成し、
前記第２導電部は、前記把持部の前記第１外表面とは反対側の第２外表面を構成し、
前記把持部の前記長手方向と直交する断面積は、５００ｍｍ２以下であり、
前記把持部の前記長手方向における中心の両側に、前記電池が位置する。
【０００７】
なお、本考案に係る記載では、「電気的に接続」という文言を、例えば、「特定の部材（以下「Ａ部材」という）に「電気的に接続」された他の特定の部材（以下「Ｂ部材」という）」などと用いている。本考案に係る記載では、この例のような場合に、Ａ部材とＢ部材とが、直接接して電気的に接続されているような場合と、Ａ部材とＢ部材とが、他の部材を介して電気的に接続されているような場合とが含まれるものとして、「電気的に接続」という文言を用いている。
【０００８】
前記イオン歯ブラシの一態様において、
前記第１導電部の前記長手方向の大きさと、前記第２導電部の前記長手方向の大きさと
は、同じであり、
前記第１導電部は、前記第２導電部に対して、前記長手方向にずれて設けられていてもよい。
【０００９】
前記イオン歯ブラシの一態様において、
前記断面積は、２００ｍｍ２以上３００ｍｍ２以下であってもよい。
【００１０】
前記イオン歯ブラシの一態様において、
前記把持部には、前記ヘッド部を振動させるモーターが収容されていてもよい。
【００１１】
前記イオン歯ブラシの一態様において、
前記モーターおよび前記電池は、前記長手方向に並んでいてもよい。
【００１２】
前記イオン歯ブラシの一態様において、
前記把持部は、前記支軸部と係合する係合部を有してもよい。
【００１３】
前記イオン歯ブラシの一態様において、
前記把持部は、
第１貫通孔が設けられた基部と、
前記基部に固定され、第２貫通孔が設けられた蓋部と、
を有し、
前記第１導電部は、前記第１貫通孔を塞いで前記基部に設けられ、
前記第２導電部は、前記第２貫通孔を塞いで前記蓋部に設けられ、
前記他方の電極には、導電部材が接しており、
前記導電部材は、
前記前記第１貫通孔を通って、前記第１導電部を付勢する第１付勢部と、
前記前記第２貫通孔を通って、前記第２導電部を付勢する第２付勢部と、
を有してもよい。
【図面の簡単な説明】
【００１４】
【図１】本実施形態に係るイオン歯ブラシを模式的に示す正面図。
【図２】本実施形態に係るイオン歯ブラシを模式的に示す側面図。
【図３】本実施形態に係るイオン歯ブラシを模式的に示す背面図。
【図４】本実施形態に係るイオン歯ブラシを模式的に示す分解斜視図。
【図５】本実施形態に係るイオン歯ブラシを模式的に示す分解斜視図。
【図６】本実施形態に係るイオン歯ブラシが使用者に把持された状態を模式的に示す図。
【図７】本実施形態に係るイオン歯ブラシを模式的に示す断面図。
【図８】本実施形態に係るイオン歯ブラシの第１導電部材を模式的に示す斜視図。
【図９】本実施形態に係るイオン歯ブラシを模式的に示す断面図。
【図１０】本実施形態に係るイオン歯ブラシを模式的に示す断面図。
【考案を実施するための形態】
【００１５】
以下、本考案の好適な実施形態について、図面を用いて詳細に説明する。なお、以下に説明する実施形態は、特許請求の範囲に記載された本考案の内容を不当に限定するものではない。また、以下で説明される構成の全てが本考案の必須構成要件であるとは限らない。
【００１６】
本実施形態に係るイオン歯ブラシ１００について、図面を参照しながら説明する。図１は、本実施形態に係るイオン歯ブラシ１００を模式的に示す正面図である。図２は、本実
施形態に係るイオン歯ブラシ１００を模式的に示す側面図である。図３は、本実施形態に係るイオン歯ブラシ１００を模式的に示す背面図である。図４および図５は、本実施形態に係るイオン歯ブラシ１００を模式的に示す分解斜視図である。なお、図１〜図５では、互いに直交する３つの軸として、Ｘ軸、Ｙ軸、およびＺ軸を図示している。
【００１７】
イオン歯ブラシ１００は、図１〜図５に示すように、例えば、把持部１０と、支軸部２０と、ヘッド部３０と、を含む。なお、便宜上、図１〜図３では、ヘッド部３０を簡略化して図示している。
【００１８】
把持部１０は、使用者が把持する部分（持つ部分）である。把持部１０は、長手方向を有する形状を有している。図示の例では、把持部１０の長手方向は、Ｙ軸方向である。把持部１０のＹ軸方向の大きさは、例えば、１２０ｍｍ以上１５０ｍｍ以下である。把持部１０は、外表面１２を有している。
【００１９】
把持部１０の長手方向と直交する断面積（図示の例ではＸＺ平面と平行な面における断面積）Ｓは、５００ｍｍ２以下であり、好ましくは２００ｍｍ２以上３００ｍｍ２以下であり、より好ましくは２４０ｍｍ２以上２６０ｍｍ２以下である。断面積Ｓは、把持部１０の最大の断面積である。
【００２０】
ここで、図６は、イオン歯ブラシ１００が使用者Ｕに把持された状態を模式的に示す図である。なお、便宜上、図６では、イオン歯ブラシ１００のヘッド部３０を簡略化して図示している。把持部１０は、図６に示すように、例えば、ペングリップで把持される。
【００２１】
把持部１０は、図１〜図５に示すように、例えば、基部１１０と、蓋部１２０と、第１導電部１３０と、第２導電部１３２と、を有している。
【００２２】
基部１１０は、支軸部２０を固定している。基部１１０には、図５に示すように、凹部１１１が設けられている。凹部１１１は、第１導電部１３０と嵌め合わされる（嵌合する）形状を有している。
【００２３】
基部１１０には、第１貫通孔１１２が設けられている。図示の例では、第１貫通孔１１２は、基部１１０をＺ軸方向に貫通している。第１貫通孔１１２は、凹部１１１の底面（凹部１１１を規定する基部１１０の面）に設けられている。
【００２４】
ここで、図７は、イオン歯ブラシ１００を模式的に示す図１のＡ−Ａ線断面図である。なお、便宜上、図７では、把持部１０および支軸部２０以外の部材の図示を省略している。また、図７では、互いに直交する３つの軸として、Ｘ軸、Ｙ軸、およびＺ軸を図示している。
【００２５】
基部１１０のヘッド部３０側の端部（図示の例では＋Ｙ軸方向の端部）には、図７に示すように、支軸部２０が挿入される支軸部挿入孔１１３が設けられている。基部１１０は、支軸部挿入孔１１３の内面（支軸部挿入孔１１３規定する基部１１０の面）に、支軸部２０と係合する係合部１１４を有している。支軸部２０には、例えば、支軸部２０の円周に沿って凹部２２が設けられ、係合部１１４は、凹部２２と係合する凸部である。
【００２６】
基部１１０は、例えば、支軸部挿入孔１１３の−Ｙ軸方向側に、支軸部２０のＹ軸方向の位置を決める位置決め部１１５を有している。図示の例では、支軸部２０は、位置決め部１１５と接している。
【００２７】
基部１１０には、図４に示すように、電池１４０が配置される電池配置部１１６、モー
ター１６０が配置されるモーター配置部１１７、およびスイッチ１７０が配置されるスイッチ配置部１１８が設けられている。スイッチ配置部１１８は、例えば、電池配置部１１６とモーター配置部１１７との間に設けられている。電池配置部１１６、モーター配置部１１７、およびスイッチ配置部１１８は、例えば、Ｙ軸方向に並んでいる。基部１１０の材質は、例えば、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂である。
【００２８】
基部１１０のヘッド部３０と接続される側（図示の例では＋Ｙ軸方向側の端部）には、係合部４０が設けられている。係合部４０は、図１に示すように、ヘッド部３０の係合部３７と係合可能である。係合部４０は、係合部３７と係合することができれば、その形状は特に限定されない。把持部１０の厚さ（Ｚ軸方向の大きさ）は、例えば、係合部４０の厚さよりも大きい。
【００２９】
蓋部１２０は、基部１１０に固定されている。蓋部１２０は、例えば、超音波溶着によって、基部１１０に固定されている。図示の例では、蓋部１２０は、基部１１０の＋Ｚ軸方向側に設けられている。
【００３０】
蓋部１２０には、図４に示すように、凹部１２１が設けられている。凹部１２１は、第２導電部１３２と嵌め合わされる（嵌合する）形状を有している。
【００３１】
蓋部１２０には、第２貫通孔１２２が設けられている。図示の例では、第２貫通孔１２２は、蓋部１２０をＺ軸方向に貫通している。第２貫通孔１２２は、凹部１２１の底面（凹部１２１を規定する蓋部１２０の面）に設けられている。蓋部１２０の材質は、例えば、ＡＢＳ樹脂である。
【００３２】
第１導電部１３０は、基部１１０に設けられている。第１導電部１３０は、例えば、基部１１０の凹部１１１に設けられている。これにより、第１導電部１３０が基部１１０の−Ｚ軸方向側に突出して把持部１０が把持され難くなることを抑制することができる。第１導電部１３０は、例えば、Ｚ軸方向からみて、第１貫通孔１１２と重なって設けられている。第１導電部１３０は、第１貫通孔１１２の開口を塞いで設けられている。第１導電部１３０の材質は、例えば、ＳＵＳ（Ｓｔｅｅｌ  Ｕｓｅ  Ｓｔａｉｎｌｅｓｓ）である。
【００３３】
第１導電部１３０は、第１外表面１４を構成している。第１外表面１４は、把持部１０の外表面１２の一部である。図示の例では、第１外表面１４は、−Ｚ軸方向を向いている。
【００３４】
第２導電部１３２は、蓋部１２０に設けられている。第２導電部１３２は、例えば、蓋部１２０の凹部１２１に設けられている。これにより、第２導電部１３２が蓋部１２０の＋Ｚ軸方向側に突出して把持部１０が把持され難くなることを抑制することができる。第２導電部１３２は、例えば、Ｚ軸方向からみて、第２貫通孔１２２と重なって設けられている。第２導電部１３２は、第２貫通孔１２２の開口を塞いで設けられている。第２導電部１３２の材質は、例えば、ＳＵＳである。
【００３５】
第２導電部１３２は、第２外表面１６を構成している。第２外表面１６は、把持部１０の外表面１２の一部であり、把持部１０の第１外表面１４とは反対側の面である。図示の例では、第２外表面１６は、把持部１０のブラシ毛３１側（図示の例では＋Ｚ軸方向側）の面であり、＋Ｚ軸方向を向いている。
【００３６】
第１導電部１３０のＹ軸方向の大きさＬ１と、第２導電部１３２のＹ軸方向の大きさＬ
２は、図２に示すように、例えば、同じである。大きさＬ１，Ｌ２は、例えば、７０ｍｍ以上１００ｍｍ以下である。
【００３７】
第１導電部１３０は、例えば、第２導電部１３２に対して、Ｙ軸方向にずれて設けられている。図示の例では、第１導電部１３０は、第２導電部１３２に対して、＋Ｙ軸方向にずれて設けられている。
【００３８】
把持部１０には、電池１４０、第１導電部材１５０、第２導電部材１５２、第３導電部材１５４、第４導電部材１５６、モーター１６０、およびスイッチ１７０が収容されている。イオン歯ブラシ１００は、例えば、電池１４０と、導電部材１５０，１５２，１５４，１５６と、モーター１６０と、およびスイッチ１７０と、を含む。
【００３９】
電池１４０は、基部１１０の電池配置部１１６に設けられている。電池１４０は、２つ設けられている。電池１４０は、把持部１０に２つだけ収容されている。電池１４０は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）規格で、Ｒ０３形の電池である。電池１４０は、日本の規格で、単４形の電池である。
【００４０】
電池１４０の公称電圧は、２．５Ｖ未満である。電池１４０の公称電圧は、例えば、１．５Ｖである。電池１４０は、例えば、アルカリ乾電池、マンガン乾電池などの乾電池である。なお、「公称電圧」とは、電池を通常使用した場合に、両端子間で得られる電圧の目安である。
【００４１】
２つの電池１４０は、Ｙ軸方向に並んで直列につながれる。図１に示すように、把持部１０のＹ軸方向における中心Ｃの両側に、電池１４０が位置する。図示の例では、中心Ｃの＋Ｙ軸方向側および−Ｙ軸方向側に、電池１４０が位置している。中心Ｃは、例えば、把持部１０の＋Ｙ軸方向側の端と、把持部１０の−Ｙ軸方向側の端との間の中間点である。
【００４２】
電池１４０は、第１電極（一方の電極）１４２と、第２電極（他方の電極）１４４と、を有している。第１電極１４２は、例えば、マイナスの電極である。第２電極１４４は、例えば、プラスの電極である。図示の例では、第１電極１４２は、第２電極１４４よりも−Ｙ軸方向側に位置している。
【００４３】
ここで、図８は、第１導電部材１５０を模式的に示す断面図である。また、図９は、イオン歯ブラシ１００を模式的に示す図１のＡ−Ａ線断面図である。なお、便宜上、図９では、把持部１０、電池１４０、および第１導電部材１５０以外の部材の図示を省略している。また、図９では、把持部１０を簡略化して図示している。また、図９では、互いに直交する３つの軸として、Ｘ軸、Ｙ軸、およびＺ軸を図示している。
【００４４】
第１導電部材１５０は、図８および図９に示すように、第１導電部１３０を付勢している第１付勢部１５０ａと、第２導電部１３２を付勢している第２付勢部１５０ｂと、を有している。第１付勢部１５０ａおよび第２付勢部１５０ｂは、例えば、梁状の部材であって、ばねである。図９に示す例では、第１付勢部１５０ａは、第１貫通孔１１２を通って、第１導電部１３０を−Ｚ軸方向側に付勢している。第２付勢部１５０ｂは、第２貫通孔１２２を通って、第２導電部１３２を＋Ｚ軸方向側に付勢している。
【００４５】
第１付勢部１５０ａは、第１導電部１３０に接している。第２付勢部１５０ｂは、第２導電部１３２に接している。第１導電部材１５０は、第２電極１４４に接している。第１導電部１３０および第２導電部１３２は、第１導電部材１５０を介して、第１電極１４２
と電気的に接続されている。
【００４６】
第２導電部材１５２は、第１電極１４２に接している。第２導電部材１５２は、図４および図５に示すように、把持部１０の電池キャップ１４６に固定されている。第２導電部材１５２は、ばねであり、電池１４０を＋Ｙ軸方向側に付勢している。第２導電部材１５２の材質は、ＳＵＳである。
【００４７】
第３導電部材１５４は、第２導電部材１５２に接している。第３導電部材１５４は、例えば、板状の部材が加工された部材である。第３導電部材１５４の材質は、ＳＵＳである。
【００４８】
第４導電部材１５６は、例えば、モーター１６０の＋Ｙ軸方向側に設けられている。第４導電部材１５６は、例えば、板状の部材が加工された部材である。第４導電部材１５６の材質は、ＳＵＳである。
【００４９】
ここで、図１０は、イオン歯ブラシ１００を模式的に示す図１のＢ−Ｂ線断面図である。なお、便宜上、図１０では、支軸部２０、蓋部１２０、および第４導電部材１５６以外の部材の図示を省略している。また、図１０では、蓋部１２０を簡略化して図示している。また、図１０では、互いに直交する３つの軸として、Ｘ軸、Ｙ軸、およびＺ軸を図示している。
【００５０】
第４導電部材１５６は、図１０に示すように、支軸部２０に接している。図示の例では、蓋部１２０は、第４導電部材１５６を−Ｚ軸方向側に付勢する付勢部１２３を有している。これにより、確実に、第４導電部材１５６を支軸部２０に接触させることができる。図示の例では、付勢部１２３は、２つ設けられている。
【００５１】
モーター１６０は、基部１１０のモーター配置部１１７に設けられている。モーター１６０は、ヘッド部３０を振動させる。図４および図５に示す例では、モーター１６０は、電池１４０の＋Ｙ軸方向側に設けられている。モーター１６０および２つの電池１４０は、Ｙ軸方向に並んでいる。モーター１６０は、ヘッド部３０を振動させることができれば、特に限定されないが、例えば、偏心モーターである。モーター１６０には、例えば、２つの端子を有している。
【００５２】
スイッチ１７０は、基部１１０のスイッチ配置部１１８に設けられている。スイッチ１７０は、例えば、電池１４０とモーター１６０との間に設けられている。スイッチ１７０は、例えば、複数の端子を有している。スイッチ１７０の複数のうちの１つの端子は、図示せぬ配線を介して、モーター１６０の一方の端子と電気的に接続されている。スイッチ１７０の複数のうちの他の１つの端子は、図示せぬ配線を介して、第２電極１４４と電気的に接続されている。
【００５３】
スイッチ１７０は、蓋部１２０に設けられたボタン１２４が押されると（ＯＮ状態になると）、モーター１６０と電気的に接続された端子と、第２電極１４４と電気的に接続された端子とが、電気的に接続されるように構成されている。さらに、スイッチ１７０は、ボタン１２４がもう１度押されると（ＯＦＦ状態になると）、モーター１６０と電気的に接続された端子と、第２電極１４４と電気的に接続された端子とが、電気的に分離されるように構成されている。
【００５４】
モーター１６０の他方の端子は、図示せぬ配線を介して、第４導電部材１５６と電気的に接続されている。さらに、第４導電部材１５６は、図示せぬ配線を介して、第３導電部材１５４と電気的に接続されている。
【００５５】
そのため、スイッチ１７０を押してＯＮ状態になると、第２電極１４４、スイッチ１７０、モーター１６０、第４導電部材１５６、第３導電部材１５４、第２導電部材１５２、および第１電極１４２を含んだ閉回路が構成され、モーター１６０が駆動する。これにより、ヘッド部３０は、振動する。なお、図示せぬ配線と各部材とは、例えば、はんだによって接合されている。
【００５６】
支軸部２０は、把持部１０からＹ軸方向に延出している。具体的には、支軸部２０は、図１に示すように、把持部１０の基部１１０の＋Ｙ軸方向側の端部から、ヘッド部３０のブラシ部３２近傍まで、Ｙ軸方向に延出している。支軸部２０は、例えば、棒状の形状である。支軸部２０は、導電性を有している。支軸部２０は、第２導電部材１５２、第３導電部材１５４、および第４導電部材１５６を介して、第１電極１４２と電気的に接続されている。支軸部２０の材質は、例えば、ＳＵＳである。
【００５７】
ヘッド部３０は、図１に示すように、支軸部２０によって支持されている。ヘッド部３０は、例えば、着脱可能に構成されている。ヘッド部３０は、例えば、ブラシ毛３１が設けられた（植毛された）ブラシ部３２と、ブラシ部３２から一体的にくびれて延出しているシャンク部３３と、を有している。
【００５８】
ヘッド部３０の、ブラシ毛３１が植毛されている外表面３４であって、ブラシ部３２近傍の位置には、支軸部２０の一部を露出する開口部３５が設けられている。ヘッド部３０の材質は、例えば、ＡＢＳ樹脂、ＰＰ（ｐｏｌｙｐｒｏｐｙｌｅｎｅ）樹脂などである。外表面３４は、例えば、第２外表面１６と同じ方向（図示の例では＋Ｚ軸方向）を向いている。
【００５９】
シャンク部３３には、支軸部２０が挿入される支軸部挿入孔３６が形成されている。支軸部挿入孔３６は、開口部３５と連通している。シャンク部３３の把持部１０と接続される側（−Ｙ軸方向側）には、基部１１０に設けられた係合部４０と係合する係合部３７が設けられている。係合部３７は、係合部４０と係合することができれば、その形状は特に限定されない。
【００６０】
イオン歯ブラシ１００では、導電部１３０，１３２に手を触れながら把持部１０を把持し、ブラシ毛３１によって歯をブラッシングすると、ブラシ毛３１は、唾液等の液体によって濡れ、開口部３５を含む液体の連なった経路を介して支軸部２０と電気的に導通可能な状態となる。すなわち、開口部３５は、液体を媒体として、ブラシ毛３１と支軸部２０とを電気的に導通可能にするための開口部である。これにより、電流は、第２電極１４４、第１導電部材１５０、導電部１３０，１３２、使用者の手、体、歯、ブラシ毛３１、開口部３５を含む液路、支軸部２０、第４導電部材１５６、第３導電部材１５４、第２導電部材１５２、および第２電極１４４という経路で流れ、電位傾斜によって歯垢除去効果等のブラッシング効果を高めることができる。
【００６１】
イオン歯ブラシ１００は、例えば、以下の特徴を有する。
【００６２】
イオン歯ブラシ１００では、把持部１０の長手方向における中心Ｃの両側に、電池１４０が位置する。そのため、イオン歯ブラシ１００では、把持部１０の長手方向における中心Ｃの一方側にのみ電池１４０が位置する場合に比べて、重さのバランスがよい。したがって、イオン歯ブラシ１００は、ペングリップで把持され易い。
【００６３】
さらに、イオン歯ブラシ１００では、把持部１０の長手方向と直交する断面積Ｓは、５００ｍｍ２以下である。そのため、イオン歯ブラシ１００は、断面積Ｓが５００ｍｍ２よ
りも大きい場合に比べて、ペングリップで把持され易い。
【００６４】
さらに、イオン歯ブラシ１００では、把持部１０には、長手方向に並んで直列につながれる２つのＲ０３形の電池１４０が収容される。そのため、イオン歯ブラシ１００では、Ｒ０３形よりも大きい規格の電池が収容される場合に比べて、小型を図ることができる。さらに、イオン歯ブラシ１００では、Ｒ０３形の電池が１つ収容される場合に比べて、使用者に印加される電圧を高くすることができ、歯垢除去効果等のブラッシング効果を高めることができる。
【００６５】
さらに、イオン歯ブラシ１００では、把持部１０は、電池１４０の第２電極１４４と電気的に接続された第１導電部１３０および第２導電部１３２を有し、第１導電部１３０は、把持部１０の第１外表面１４を構成し、第２導電部１３２は、把持部１０の第１外表面１４とは反対側の第２外表面１６を構成している。そのため、イオン歯ブラシ１００では、第１導電部１３０または第２導電部１３２が設けられていない場合に比べて、使用者が把持部１０を把持した際に、第１導電部１３０および第２導電部１３２の少なくとも一方に触れる可能性を高くすることができる。
【００６６】
イオン歯ブラシ１００では、第１導電部１３０の長手方向（把持部１０の長手方向）の大きさＬ１と、第２導電部１３２の長手方向Ｌ２の大きさとは、同じである。そのため、イオン歯ブラシ１００では、第１導電部１３０および第２導電部１３２を同じ金型で形成することができ、低コスト化を図ることができる。
【００６７】
さらに、第１導電部１３０は、第２導電部１３２に対して、把持部１０の長手方向にずれて設けられている。そのため、イオン歯ブラシ１００では、第１導電部１３０が第２導電部１３２に対して把持部１０の長手方向にずれていない場合に比べて、使用者が把持部１０を把持した際に、第１導電部１３０および第２導電部１３２の少なくとも一方に触れる可能性を高くすることができる。
【００６８】
イオン歯ブラシ１００では、断面積Ｓは、２００ｍｍ２以上３００ｍｍ２以下である。そのため、イオン歯ブラシ１００は、断面積Ｓが上記の範囲外の場合に比べて、ペングリップで把持され易い。
【００６９】
イオン歯ブラシ１００では、把持部１０には、ヘッド部３０を振動させるモーター１６０が収容されている。そのため、イオン歯ブラシ１００では、ヘッド部３０が振動しない場合に比べて、ブラッシング効果を高めることができる。
【００７０】
イオン歯ブラシ１００では、モーター１６０および電池１４０は、把持部１０の長手方向に並んでいる。そのため、イオン歯ブラシ１００では、モーター１６０および電池１４０が把持部１０の長手方向に並んでいない場合に比べて、断面積Ｓを小さくすることができる。したがって、イオン歯ブラシ１００は、ペングリップで把持され易い。
【００７１】
イオン歯ブラシ１００では、把持部１０は、支軸部２０と係合する係合部１１４を有する。そのため、イオン歯ブラシ１００では、支軸部２０を把持部１０に、より確実に固定することができる。
【００７２】
イオン歯ブラシ１００では、把持部１０は、第１貫通孔１１２が設けられた基部１１０と、基部１１０に固定され、第２貫通孔１２２が設けられた蓋部１２０と、を有し、第１導電部１３０は、第１貫通孔１１２を塞いで基部１１０に設けられ、第２導電部１３２は、第２貫通孔１２２を塞いで蓋部１２０に設けられ、第２電極１４４には、第１導電部材１５０が接しており、第１導電部材１５０は、第１貫通孔１１２を通って、第１導電部１
３０を付勢する第１付勢部１５０ａと、第２貫通孔１２２を通って、第２導電部１３２を付勢する第２付勢部１５０ｂと、を有する。そのため、イオン歯ブラシ１００では、第１導電部１３０と第２電極１４４との電気的接続、および第２導電部１３２と第２電極１４４との電気的接続を、より確実に行うことができる。
【００７３】
本考案は、実施の形態で説明した構成と実質的に同一の構成（例えば、機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００７４】
１０…把持部、１２…外表面、１４…第１外表面、１６…第２外表面、２０…支軸部、２２…凹部、３０…ヘッド部、３１…ブラシ毛、３２…ブラシ部、３３…シャンク部、３４…外表面、３５…開口部、３６…支軸部挿入孔、３７…係合部、４０…係合部、１００…イオン歯ブラシ、１１０…基部、１１１…凹部、１１２…第１貫通孔、１１３…支軸部挿入孔、１１４…係合部、１１５…位置決め部、１１６…電池配置部、１１７…モーター配置部、１１８…スイッチ配置部、１２０…蓋部、１２１…凹部、１２２…第２貫通孔、１２３…付勢部、１２４…ボタン、１３０…第１導電部、１３２…第２導電部、１４０…電池、１４２…第１電極、１４４…第２電極、１４６…電池キャップ、１５０…第１導電部材、１５０ａ…第１付勢部、１５０ｂ…第２付勢部、１５２…第２導電部材、１５４…第３導電部材、１５６…第４導電部材、１６０…モーター、１７０…スイッチ
【図１】
0003216414.tif 000003
【図２】
0003216414.tif 000004
【図３】
0003216414.tif 000005
【図４】
0003216414.tif 000006
【図５】
0003216414.tif 000007
【図６】
0003216414.tif 000008
【図７】
0003216414.tif 000009
【図８】
0003216414.tif 000010
【図９】
0003216414.tif 000011
【図１０】
0003216414.tif 000012